(57)【要約】【課題】収容空間内の内容液の残留を抑制することができる、計量容器を提供する。【解決手段】本発明に係る計量容器１は、内容液の収容空間Ｓに連なる口部１３を備えた容器本体１０と、口部１３に装着されるノズルキャップ２０と、ノズルキャップ２０を閉塞する計量キャップ３０とを有し、ノズルキャップ２０は、外周壁２３と、外周壁２３の上部に連なる天壁２６とを有する装着キャップ部２１と、装着キャップ部２１に連結され、有底筒状形状を有する隔壁２７と、注出孔２７ｃの縁部から上方に向けて樋状に突出する第１ノズル２８と、第１ノズル２８に対向して設けられ、第１ノズル２８よりも先端部の高さが低い第２ノズル２９とを有し、隔壁２７又は天壁２６における、第２ノズル２９が形成された周方向位置には、収容空間Ｓと第２ノズル２９とを連通する切り欠き２７ｄが形成されていることを特徴とする。【選択図】図１
2019081582.tif 000002
【特許請求の範囲】
【請求項１】
内容液の収容空間に連なる筒状の口部を備えた容器本体と、前記口部に装着されるノズルキャップと、該ノズルキャップを閉塞する計量キャップとを有する計量容器であって、
前記ノズルキャップは、
前記口部に装着される外周壁と、該外周壁の上部に連なる天壁とを有する装着キャップ部と、
該装着キャップ部に連結されると共に径方向内側に配置され、有底筒状形状を有する隔壁と、
該隔壁の底壁に形成された注出孔の縁部から上方に向けて樋状に突出する第１ノズルと、
該第１ノズルに対して周方向に対向して設けられ、該第１ノズルよりも先端部の高さが低い第２ノズルと
を有し、
前記計量キャップは、
前記装着キャップ部に着脱自在に装着されて前記第１ノズル及び前記第２ノズルを覆う有頂筒状のキャップ本体部と、
前記キャップ本体部の頂壁と該頂壁の下面から突出する筒状壁とで区画形成された計量カップ部と
を有し、
前記隔壁又は前記天壁における、前記第２ノズルが形成された周方向位置の少なくとも一部を含む周方向位置には、前記収容空間と前記第２ノズルとを連通する切り欠きが形成されていることを特徴とする計量容器。
【請求項２】
前記第２ノズルは、前記筒状壁の径方向外側に形成されている、請求項１に記載の計量容器。
【請求項３】
前記第２ノズルの基端部は、前記天壁より下方に突出していない、請求項１又は２に記載の計量容器。
【請求項４】
前記切り欠きは、少なくとも前記天壁の高さまで上方に延在する、請求項１乃至３のいずれか一項に記載の計量容器。
【請求項５】
前記切り欠きは、前記注出孔とは離間して設けられ、該注出孔よりも開口面積が小さい第２注出孔を構成している、請求項１乃至４のいずれか一項に記載の計量容器。
【発明の詳細な説明】
【技術分野】
【０００１】
本発明は、内容液の収容空間に連なる筒状の口部を備えた容器本体と、口部に装着されるノズルキャップと、ノズルキャップを閉塞する計量キャップとを有する計量容器に関する。
【背景技術】
【０００２】
従来から、洗濯用の液体洗剤や柔軟剤等の比較的粘度の高い内容液を収容する容器として、内容液の収容空間を備えた容器本体の口部にノズルを備えたノズルキャップが装着されるとともに、このノズルキャップを計量キャップで閉塞した構成の液体計量容器が知られている（例えば特許文献１参照）。
【０００３】
このような液体計量容器では、ノズルは樋状に形成され、ノズルキャップの隔壁により支持されてその先端がノズルキャップの先端開口から外側に向けて突出するとともにノズルキャップの内周面に対して間隔を空けて配置されるのが一般的である。これにより、ノズルを通して内容液を狙った場所に容易に注出させることができる。
【０００４】
一方、計量キャップは、例えば透明ないし半透明の樹脂材料により有頂筒状に形成された計量カップ部と計量カップ部に一体に設けられたキャップ本体部とを備えた構成とされている。計量カップ部はリブ状の突起ないし印刷等で表示された目盛を有しており、この目盛を用いて注出された液体を計量することができる。また、計量キャップは、ノズルキャップに装着された状態においては計量カップ部の開口端がノズルキャップの内側部分に位置するようになっており、これにより、計量カップ部の内部に残った内容液を口部の外側に垂れ落ちさせることなく容器本体の内部に戻すことができる。
【先行技術文献】
【特許文献】
【０００５】
【特許文献１】特開２０１０−１２６２３２号公報
【発明の概要】
【発明が解決しようとする課題】
【０００６】
しかしながら、上記従来の液体計量容器では、内容液の注出のために容器本体を傾斜姿勢へと傾倒させると、隔壁の外縁と口部との間に形成される凹所に内容液が入り込み、収容空間内の内容液を全て注出することが難しかった。
【０００７】
本発明は、このような問題点を解決することを課題とするものであり、その目的は、収容空間内の内容液の残留を抑制することができる計量容器を提供することにある。
【課題を解決するための手段】
【０００８】
本発明の計量容器は、
内容液の収容空間に連なる筒状の口部を備えた容器本体と、前記口部に装着されるノズルキャップと、該ノズルキャップを閉塞する計量キャップとを有する計量容器であって、
前記ノズルキャップは、
前記口部に装着される外周壁と、該外周壁の上部に連なる天壁とを有する装着キャップ部と、
該装着キャップ部に連結されると共に径方向内側に配置され、有底筒状形状を有する隔壁と、
該隔壁の底壁に形成された注出孔の縁部から上方に向けて樋状に突出する第１ノズルと、
該第１ノズルに対して周方向に対向して設けられ、該第１ノズルよりも先端部の高さが低い第２ノズルと
を有し、
前記計量キャップは、
前記装着キャップ部に着脱自在に装着されて前記第１ノズル及び前記第２ノズルを覆う有頂筒状のキャップ本体部と、
前記キャップ本体部の頂壁と該頂壁の下面から突出する筒状壁とで区画形成された計量カップ部と
を有し、
前記隔壁又は前記天壁における、前記第２ノズルが形成された周方向位置の少なくとも一部を含む周方向位置には、前記収容空間と前記第２ノズルとを連通する切り欠きが形成されていることを特徴とする。
【０００９】
また、本発明の計量容器は、上記構成において、前記第２ノズルは、前記筒状壁の径方向外側に形成されていることが好ましい。
【００１０】
また、本発明の計量容器は、上記構成において、前記第２ノズルの基端部は、前記天壁より下方に突出していないことが好ましい。
【００１１】
また、本発明の計量容器は、上記構成において、前記切り欠きは、少なくとも前記天壁の高さまで上方に延在することが好ましい。
【００１２】
また、本発明の計量容器は、上記構成において、前記切り欠きは、前記注出孔とは離間して設けられ、該注出孔よりも開口面積が小さい第２注出孔を構成していることが好ましい。
【発明の効果】
【００１３】
本発明によれば、収容空間内の内容液の残留を抑制することができる計量容器を提供することができる。
【図面の簡単な説明】
【００１４】
【図１】本発明の第１実施形態である計量容器の一部断面図である。
【図２】本発明の第１実施形態である計量容器の要部を拡大して示す断面図である。
【図３】本発明の第２実施形態である計量容器の要部を拡大して示す断面図である。
【発明を実施するための形態】
【００１５】
以下、図面を参照して本発明をより詳細に例示説明する。
【００１６】
図１に示す本発明の第１実施形態である計量容器１は、例えば洗濯用の液体洗剤や柔軟剤等の比較的粘度の高い内容液を収容する用途に用いられるものであり、容器本体１０、ノズルキャップ２０及び計量キャップ３０を有している。なお、本明細書、特許請求の範囲、要約書および図面では、計量キャップ３０が位置する側を上方（図１における上側）とし、容器本体１０が位置する側を下方（図１における下側）とする。また、径方向外側とは、図１において上下方向に延びる計量容器１の中心軸線を通り中心軸線に垂直な直線に沿って外側に向かう方向であり、径方向内側とは、当該直線に沿って中心軸線に向かう方向を指すものとする。なお、図１における中心軸線は、径方向外側、及び径方向内側の定義に用いており、本実施形態の計量容器１の各部材が、常にこの中心軸線周りに軸対称に形成されていることを意味するものではない。
【００１７】
容器本体１０は、内側に収容空間Ｓを備える胴部１１と、該胴部１１の下端を閉塞する底部１２と、収容空間Ｓに連なる円筒状の口部１３とを備えたボトル形状に形成されており、その収容空間Ｓに内容液（不図示）を収容することができる。この容器本体１０としては、例えばポリエチレン（ＰＥ）、ポリプロピレン（ＰＰ）、ポリスチレン（ＰＳ）等の合成樹脂製のものを用いることができる。なお、口部１３は円筒状に限らず、例えば楕円筒状や角筒状など筒状であれば他の形状に形成することもできる。
【００１８】
ノズルキャップ２０は、図２に示すように、容器本体１０の口部１３に装着される外周壁２３と外周壁２３の上部に連なる天壁２６とを有する装着キャップ部２１と、装着キャップ部２１に連結されると共に径方向内側に配置され有底筒状形状を有する隔壁２７と、隔壁２７の底壁２７ｂに形成された注出孔２７ｃの縁部から上方に向けて樋状に突出する第１ノズル２８と、第１ノズル２８に対して周方向に対向して設けられ、第１ノズル２８よりも先端部の高さが低い第２ノズル２９とを備えている。本実施形態において、装着キャップ部２１、隔壁２７、第１ノズル２８、及び第２ノズル２９は、一体に形成されており、例えば合成樹脂製とすることができる。
【００１９】
より具体的に説明すると、装着キャップ部２１は口部１３よりも大径の円筒状の外周壁２３を備え、この外周壁２３の内周面に一体に設けられた雌ねじ２３ａが口部１３の外周面に一体に設けられた雄ねじ１３ａにねじ結合することで、装着キャップ部２１は口部１３に装着されている。外周壁２３の下端には複数の凹溝２３ｂが設けられ、口部１３の根元部分に設けられた係止リブ１３ｂが凹溝２３ｂに係合している。これにより、装着キャップ部２１は口部１３に対して装着状態に保持され、口部１３から容易に取り外されないようになっている。
【００２０】
図示する場合では、装着キャップ部２１は口部１３にねじ結合によって装着される構成となっているが、これに限らず、例えばアンダーカット等の他の手段により口部１３に装着される構成とすることもできる。この場合、口部１３の形状に合わせて、外周壁２３を例えば楕円筒状や角筒状などの他の形状に形成することもできる。
【００２１】
装着キャップ部２１は外周壁２３の上部に連結する天壁２６を備えている。天壁２６における外周壁２３の径方向内側からシール壁２６ａが垂下しており、このシール壁２６ａが口部１３の内周面に嵌合することで、装着キャップ部２１は、口部１３の上端開口を液密にシールしている。天壁２６の径方向内側端には、隔壁２７が形成されている。隔壁２７は、図２に示すように有底筒状形状を有しており、側壁２７ａと側壁２７ａの下端部を閉塞する底壁２７ｂとを有している。底壁２７ｂの径方向中央には、収容空間Ｓを外部と連通させ、収容空間Ｓ内の内容液を外部に注出する注出孔２７ｃが設けられている。なお、隔壁２７の構成については後ほど詳述する。
【００２２】
装着キャップ部２１はさらに被装着筒２５を備えている。被装着筒２５は外周壁２３より小径であるとともに外周壁２３と同軸の円筒状に形成されており、天壁２６の上面から上方に向けて突出している。被装着筒２５の外周面には計量キャップ３０を装着するための雄ねじ２５ａが一体に設けられている。
【００２３】
第１ノズル２８は側面に軸方向に沿って一端から他端にまで延びるスリット２８ａを備えた断面Ｃ字形状つまり樋状に形成されている。第１ノズル２８は、計量キャップ３０装着時において、計量カップ部３２の筒状壁３２ａの内周面に対して径方向に間隔を空けて配置されている。第１ノズル２８の先端部は、スリット２８ａが設けられる側が容器本体１０の収容空間Ｓに向けて下がるように口部１３の上端開口に対して斜めに傾斜する形状とされており、当該先端部は被装着筒２５の上端よりも上方に向けて突出している。また、この傾斜部は、利用者が取り扱い易いようにＲ面処理されている。このような構成により、容器本体１０の収容空間Ｓに収容された内容液を、第１ノズル２８を通して所望の位置に容易に注出させることができる。
【００２４】
なお、第１ノズル２８の先端は、斜めに傾斜する形状に限らず、口部１３の上部開口に平行な形状や、側方から見て丸みを帯びるようにカットした形状とするなど、種々の形状とすることができる。
【００２５】
第１ノズル２８に対して周方向の対向する位置には、図２に示すように、第２ノズル２９が形成されている。第２ノズル２９の先端部は、第１ノズル２８よりも低く、且つ被装着筒２５の上端よりも高い位置まで突出している。また、第２ノズル２９は、第１ノズル２８よりも径方向外側となる半径位置に形成されている。本実施形態では、第２ノズル２９は、周方向の１８０度未満の領域に形成されており、第１ノズル２８と周方向にオーバーラップしないように形成されている。第２ノズル２９は、後述するように、収容空間Ｓ内の内容液の残量が少なくなった場合に、第１ノズル２８に代えて第２ノズル２９を用いることで、内容液の残留を抑制し、使い終えることができる。
【００２６】
隔壁２７は、第１ノズル２８のスリット２８ａ側に向けて下方に傾斜する底壁２７ｂを有しており、その外周縁において天壁２６から垂下する側壁２７ａに連なっている。側壁２７ａ及び底壁２７ｂにおける第２ノズル２９が形成されている周方向位置には、切り欠き２７ｄが形成されている。本実施形態において、切り欠き２７ｄは、側壁２７ａにおける天壁２６の下面から底壁２７ｂに設けられた注出孔２７ｃまで延びており、切り欠き２７ｄは注出孔２７ｃと連結されて開口を形成している。このように、第２ノズル２９が設けられた周方向位置において隔壁２７に切り欠き２７ｄを形成することで、収容空間Ｓ内の内容液の残量が少なくなった場合でも、第２ノズル２９を通じて残留する内容液を注出することで、内容液が隔壁２７と口部１３との間に形成される凹所に貯留されることなく、この切り欠き２７ｄを通じて第２ノズル２９から外部に注出することができる。
【００２７】
なお、内容液の注出後に第１ノズル２８の外周面に沿って垂れ落ちる内容液は、傾斜する隔壁２７の最下部に集めてスリット２８ａを通して収容空間Ｓに戻すことができる。
【００２８】
計量キャップ３０は、例えば透明ないし半透明の樹脂製となっており、キャップ本体部３１と計量カップ部３２とを備えている。
【００２９】
キャップ本体部３１は、合成樹脂材料により、被装着筒２５よりも大径の円筒状に形成された装着筒３１ａと、装着筒３１ａの上端部に連なる上壁３１ｅから更に上方へと僅かに縮径しながら延びる側壁３１ｄと、側壁３１ｄの上端に一体に設けられた頂壁３１ｂとを有する有頂筒状に形成されている。装着筒３１ａの内周面には雌ねじ３１ｃが一体に設けられており、この雌ねじ３１ｃを被装着筒２５の外周面に形成された雄ねじ２５ａにねじ結合させることにより、キャップ本体部３１は装着キャップ部２１に着脱自在に装着されている。装着筒３１ａの径方向内側における上壁３１ｅの下面からシール壁３１ｆが垂下しており、被装着筒２５の内周面に嵌合することで被装着筒２５の開口端を液密にシールしている。
【００３０】
キャップ本体部３１が装着キャップ部２１に装着されると、第１ノズル２８及び第２ノズル２９がキャップ本体部３１により覆われ、ノズルキャップ２０が閉塞される。一方、キャップ本体部３１が装着キャップ部２１から取り外されると、第１ノズル２８及び第２ノズル２９が露出し、内容液を注出可能な状態となる。
【００３１】
計量カップ部３２は、キャップ本体部３１の頂壁３１ｂの内面から突出する円筒状の筒状壁３２ａを有し、この筒状壁３２ａとキャップ本体部３１の頂壁３１ｂとで区画形成されてカップ状に形成されている。筒状壁３２ａの側面には、例えばリブ状の突起ないし印刷等で表示された計量用の目盛が設けられていてもよい。
【００３２】
計量キャップ３０は、平坦な板状に形成されたキャップ本体部３１の頂壁３１ｂを下側とし、計量カップ部３２の開口を上側とした姿勢とすることにより、液体を計量する計量カップとして用いることができる。
【００３３】
図１に示すノズルキャップ２０に計量キャップ３０が装着された状態から、キャップ本体部３１を回してキャップ本体部３１と被装着筒２５とのねじ結合を解除すると、ノズルキャップ２０に対して計量キャップ３０が上方に移動する。そして、ねじ係合が完全に解除された状態でキャップ本体部３１を上方に引き抜くことで、隔壁２７の側壁２７ａと第１ノズル２８との間に配置されていた筒状壁３２ａを上方に移動させてノズルキャップ２０から取り外すことができる。
【００３４】
計量キャップ３０をノズルキャップ２０から取り外し、第１ノズル２８及び第２ノズル２９を露出させた状態で、容器本体１０を第１ノズル２８の先端部が上方を向く正立姿勢からスリット２８ａが上方となる傾斜姿勢とすることにより、収容空間Ｓ内の内容液を、注出孔２７ｃを通じて第１ノズル２８の先端部から外部に注出することができる。このとき、口部１３の内側に隔壁２７が設けられるとともに第１ノズル２８が隔壁２７の内周縁から起立する構成とされているので、容器本体１０の収容空間Ｓの内容液は、樋状に形成された第１ノズル２８に沿って案内されて当該第１ノズル２８の先端から注出されることになる。また、内容液の注出後に、容器本体１０を正立姿勢に戻したときに、第１ノズル２８の先端に付着した内容液が第１ノズル２８の外周面に沿って垂れ落ちても、当該内容液は口部１３の外側に垂れ落ちることなく、第１ノズル２８に沿って下方に垂れ落ちて隔壁２７の上面で受けられ、第１ノズル２８のスリット２８ａの部分から容器本体１０の収容空間Ｓに戻されることになる。したがって、この計量容器１によれば、第１ノズル２８から内容液を注出させつつ当該内容液の外部への液垂れを防止することができる。
【００３５】
この第１ノズル２８による内容液の注出では、容器本体１０をスリット２８ａが上方となる傾斜姿勢とすることで内容液を注出するため、図２におけるスリット２８ａに対向する周方向位置における隔壁２７の側壁２７ａと口部１３の内周面との間に形成される隙間（凹所）に内容液が貯留され、貯留された内容液を注出することができない。そこで、本実施形態では、第１ノズル２８に対向する周方向位置に、第２ノズル２９を形成している。第２ノズル２９は、先端部の高さが第１ノズル２８よりも低く、また第２ノズル２９の基端部は天壁２６において終端しており、天壁２６よりも下方に延在していない。そして、隔壁２７には、第２ノズル２９が配置されている周方向位置において、切り欠き２７ｄが天壁２６の下面から底壁２７ｂに設けられた注出孔２７ｃまで延びている。すなわち、切り欠き２７ｄは注出孔２７ｃと連結されて開口を形成している。
【００３６】
上述のように、第２ノズル２９が形成されている周方向位置において、天壁２６の下方には、内容液の注出を遮る部材が配置されていない。従って、内容液の残量が少なくなってきた段階で、利用者は、第２ノズル２９が第１ノズル２８の下方に位置するように容器本体１０を傾斜姿勢とし、内容液を注出させる。収容空間Ｓ内の内容液は、容器本体１０の内周面に沿って口部１３を通過した後、第２ノズル２９直下の切り欠き２７ｄを通過して第２ノズル２９の先端部から注出される。このように、第２ノズル２９を使用する場合に内容液が流れる流路には、第１ノズル２８側のような凹所が形成されていないので、内容液が貯留されるのを抑制することができる。従って、内容液をほぼ使い切った状態で計量容器１を使い終えることができる。
【００３７】
なお、本実施形態では、第２ノズル２９の先端部の高さが第１ノズル２８よりも低く形成されているので、少量の内容液を第２ノズル２９を通じてより正確に目的の場所に注出することができる。また、内容液の注出後に、容器本体１０を正立姿勢に戻したときに、第２ノズル２９の先端に付着した内容液が第２ノズル２９の外周面に沿って垂れ落ちても、天壁２６の上面で受けられ、第１ノズル２８側の天壁２６及び隔壁２７を経由してスリット２８ａ部分から容器本体１０の収容空間Ｓに戻されることになる。したがって、この計量容器１によれば、第２ノズル２９から内容液を注出させつつ当該内容液の外部への液垂れを防止することができる。
【００３８】
ノズルキャップ２０から取り外された計量キャップ３０は、頂壁３１ｂを下側とし、計量カップ部３２の開口を上側とした姿勢とすることで、液体を計量する計量カップとして用いることができる。
【００３９】
使用後には、筒状壁３２ａの下端部を側壁２７ａと第１ノズル２８との間の空間に挿入し、計量キャップ３０をノズルキャップ２０に再び装着することで、第１ノズル２８及び第２ノズル２９を閉塞させることができる。
【００４０】
なお、本実施形態では、ノズルキャップ２０に設けた被装着筒２５に計量キャップ３０のキャップ本体部３１を装着させる構成としているが、これに限らず、ノズルキャップ２０に被装着筒２５を設けることなく、外周壁２３の外側に計量キャップ３０を装着する構成としてもよい。
【００４１】
また、本実施形態では、第２ノズル２９と同一の周方向位置に切り欠き２７ｄを形成するように構成したが、この態様には限定されない。第２ノズル２９と切り欠き２７ｄとの周方向位置が一部のみ重なるようにしてもよく、収容空間Ｓ内の内容液が貯留されることなく切り欠き２７ｄを通過して第２ノズル２９から注出可能であればよい。
【００４２】
また、本実施形態では、第２ノズル２９が天壁２６で終端するように構成したが、この態様には限定されない。切り欠き２７ｄが適切な場所に適切な大きさで設けられることで、収容空間Ｓ内の内容液が貯留されることなく切り欠き２７ｄを通過して第２ノズル２９から注出可能であれば、第２ノズル２９は、天壁２６を越えて下方に突出していてもよい。
【００４３】
また、本実施形態では、切り欠き２７ｄが天壁２６から注出孔２７ｃまで延在するように構成したが、この態様には限定されない。切り欠き２７ｄは、天壁２６を越えて延在していてもよい。また、切り欠き２７ｄが必ずしも天壁２６まで延在している必要はなく、収容空間Ｓ内の内容液が貯留されることなく切り欠き２７ｄを通過して第２ノズル２９から注出可能であればよい。
【００４４】
以上述べたように、本実施形態では、装着キャップ部２１に連結される隔壁２７と、隔壁２７の底壁２７ｂに形成された注出孔２７ｃの縁部から上方に向けて樋状に突出する第１ノズル２８と、第１ノズル２８に対して周方向に対向して設けられ、第１ノズル２８よりも先端部の高さが低い第２ノズル２９とを有し、隔壁２７における、第２ノズル２９が形成された周方向位置には、収容空間Ｓと第２ノズル２９とを連通する切り欠き２７ｄが形成されるように構成した。これによって、第２ノズル２９を使用する場合に、内容液が流れる流路に第１ノズル２８側のような凹所が形成されていないので、収容空間Ｓ内の内容液の残留を抑制して計量容器１を使い終えることができる。
【００４５】
また、本実施形態では、第２ノズル２９が、筒状壁３２ａの径方向外側に形成されるように構成した。これによって、計量カップ部３２の計量体積が大きく筒状壁３２ａが下方まで延在する場合でも、第２ノズル２９を筒状壁３２ａの下端より下方まで延在させる必要がないので、内容液が貯留される凹所の形成を容易に回避して、内容液の残留を抑制することができる。
【００４６】
また、本実施形態では、第２ノズル２９の基端部が、天壁２６より下方に突出しないように構成した。これによって、第２ノズル２９の下方への延在に起因する凹所の形成を回避して、内容液の残留を抑制することができる。
【００４７】
また、本実施形態では、切り欠き２７ｄが、天壁２６の高さまで上方に延在するように構成した。これによって、口部１３と隔壁２７との間に凹所が形成されても、天壁２６まで延びる切り欠き２７ｄを経由して内容液が第２ノズル２９へと流れるため、内容液の残留を抑制することができる。
【００４８】
次に、本発明の第２実施形態である計量容器１０１について、図面を参照して例示説明する。
【００４９】
図３に示す本発明の第２実施形態である計量容器１０１は、容器本体１１０、ノズルキャップ１２０及び計量キャップ１３０を有している。なお、本実施形態は、ノズルキャップ１２０の構成を除いては、第１実施形態と近似している。従って、主にノズルキャップ１２０の構成について詳説する。
【００５０】
ノズルキャップ１２０は、図３に示すように、容器本体１１０の口部１１３に装着される外周壁１２３と外周壁１２３の上部に連なる天壁１２６とを有する装着キャップ部１２１と、装着キャップ部１２１に連結されると共に径方向内側に配置され有底筒状形状を有する隔壁１２７と、隔壁１２７の底壁１２７ｂに形成された注出孔１２７ｃの縁部から上方に向けて樋状に突出する第１ノズル１２８と、第１ノズル１２８に対して周方向に対向して設けられ、第１ノズル１２８よりも先端部の高さが低い第２ノズル１２９とを備えている。
【００５１】
装着キャップ部１２１は外周壁１２３の上部に連結する天壁１２６を備えている。天壁１２６における外周壁１２３の径方向内側からシール壁１２６ａが垂下しており、このシール壁１２６ａが口部１１３の内周面に嵌合することで、装着キャップ部１２１は、口部１１３の上端開口を液密にシールしている。天壁１２６の径方向内側端には、隔壁１２７が形成されている。隔壁１２７は、図３に示すように有底筒状形状を有しており、天壁１２６から下方に向かって径方向内側に延びる傾斜部１２７ｅと、傾斜部１２７ｅの内周端から垂下する側壁１２７ａと、側壁１２７ａの下端部を閉塞する底壁１２７ｂとを有している。底壁１２７ｂの径方向中央には、収容空間Ｓを外部と連通させ、収容空間Ｓ内の内容液を外部に注出する注出孔１２７ｃが設けられている。
【００５２】
第１ノズル１２８は側面に軸方向に沿って一端から他端にまで延びるスリット１２８ａを備えた断面Ｃ字形状つまり樋状に形成されている。第１ノズル１２８は、計量キャップ１３０装着時において、計量カップ部１３２の筒状壁１３２ａの内周面に対して径方向に間隔を空けて配置されている。第１ノズル１２８の先端部は、スリット１２８ａが設けられる側が容器本体１１０の収容空間Ｓに向けて下がるように口部１１３の上端開口に対して斜めに傾斜する形状とされており、当該先端部は被装着筒１２５の上端よりも上方に向けて突出している。また、この傾斜部は、利用者が取り扱い易いようにＲ面処理されている。このような構成により、容器本体１１０の収容空間Ｓに収容された内容液を、第１ノズル１２８を通して所望の位置に容易に注出させることができる。
【００５３】
第１ノズル１２８に対して周方向の対向する位置には、図３に示すように、第２ノズル１２９が形成されている。第２ノズル１２９の先端部は、第１ノズル１２８よりも低く、且つ被装着筒１２５の上端よりも高い位置まで突出している。また、第２ノズル１２９は、第１ノズル１２８よりも径方向外側となる半径位置に形成されている。本実施形態では、第２ノズル１２９は、周方向の１８０度未満の領域に形成されており、第１ノズル１２８と周方向にオーバーラップしないように形成されている。第２ノズル１２９は、後述するように、収容空間Ｓ内の内容液の残量が少なくなった場合に、第１ノズル１２８に代えて第２ノズル１２９を用いることで、内容液の残留を抑制しつつ、計量容器１０１を使い終えることができる。
【００５４】
隔壁１２７は、第１ノズル１２８のスリット１２８ａ側に向けて下方に傾斜する底壁１２７ｂを有しており、その外周縁において天壁１２６から傾斜部１２７ｅを介して垂下する側壁１２７ａに連なっている。傾斜部１２７ｅにおける第２ノズル１２９が形成されている周方向位置には、第２注出孔１２７ｄ（切り欠き）が形成されている。このように、第２ノズル１２９が設けられた周方向位置において傾斜部１２７ｅに第２注出孔１２７ｄを形成することで、収容空間Ｓ内の内容液の残量が少なくなった場合に、この第２注出孔１２７ｄ及び第２ノズル１２９を通じて残留する内容液を注出することができる。これによって、内容液が隔壁１２７と口部１１３との間に形成される凹所に貯留されることなく、この第２注出孔１２７ｄを通じて第２ノズル１２９から外部に注出することができる。
【００５５】
なお、内容液の注出後に第１ノズル１２８の外周面に沿って垂れ落ちる内容液は、傾斜する隔壁１２７の最下部に集めてスリット１２８ａを通して収容空間Ｓに戻すことができる。
【００５６】
図３に示すノズルキャップ１２０に計量キャップ１３０が装着された状態から、キャップ本体部１３１を回してキャップ本体部１３１と被装着筒１２５とのねじ結合を解除すると、ノズルキャップ２０に対して計量キャップ１３０が上方に移動する。そして、ねじ係合が完全に解除された状態でキャップ本体部１３１を上方に引き抜くことで、隔壁１２７の側壁１２７ａと第１ノズル１２８との間に配置されていた筒状壁１３２ａを上方に移動させてノズルキャップ１２０から取り外すことができる。
【００５７】
計量キャップ１３０をノズルキャップ１２０から取り外し、第１ノズル１２８及び第２ノズル１２９を露出させた状態で、容器本体１１０を第１ノズル１２８の先端部が上方を向く正立姿勢からスリット１２８ａが上方となる傾斜姿勢とすることにより、収容空間Ｓ内の内容液を、注出孔１２７ｃを通じて第１ノズル１２８の先端部から外部に注出することができる。このとき、口部１１３の内側に隔壁１２７が設けられるとともに第１ノズル１２８が隔壁１２７の内周縁から起立する構成とされているので、容器本体１１０の収容空間Ｓの内容液は、樋状に形成された第１ノズル１２８に沿って案内されて当該第１ノズル１２８の先端部から注出されることになる。また、内容液の注出後に、容器本体１１０を正立姿勢に戻したときに、第１ノズル１２８の先端に付着した内容液が第１ノズル１２８の外周面に沿って垂れ落ちても、当該内容液は口部１１３の外側に垂れ落ちることなく、第１ノズル１２８に沿って下方に垂れ落ちて隔壁１２７の上面で受けられ、第１ノズル１２８のスリット１２８ａの部分から容器本体１１０の収容空間Ｓに戻されることになる。したがって、この計量容器１０１によれば、第１ノズル１２８から内容液を注出させつつ当該内容液の外部への液垂れを防止することができる。
【００５８】
この第１ノズル１２８による内容液の注出では、容器本体１１０をスリット１２８ａが上方となる傾斜姿勢とすることで内容液を注出するため、図３におけるスリット１２８ａに対向する周方向位置における隔壁１２７の側壁１２７ａと口部１１３の内周面との間に形成される隙間（凹所）に内容液が貯留され、貯留された内容液を注出することができない。そこで、本実施形態では、第１ノズル１２８に対向する周方向位置に、第２ノズル１２９を形成している。第２ノズル１２９は、先端部の高さが第１ノズル１２８よりも低く、また第２ノズル１２９の基端部は天壁１２６において終端しており、天壁１２６よりも下方に延在していない。そして、隔壁１２７の傾斜部１２７ｅには、第２ノズル１２９が配置されている周方向位置において、第２注出孔１２７ｄが設けられている。
【００５９】
上述のように、第２ノズル１２９が形成されている周方向位置において、天壁１２６に隣接して第２注出孔１２７ｄが形成されている。従って、内容液の残量が少なくなってきた段階で、利用者は、第２ノズル１２９が第１ノズル１２８の下方に位置するように容器本体１１０を傾斜姿勢とし、内容液を注出させる。収容空間Ｓ内の内容液は、容器本体１１０の内周面に沿って口部１１３を通過した後、第２ノズル１２９直下の第２注出孔１２７ｄを通過して第２ノズル１２９の先端部から注出される。このように、第２ノズル１２９を使用する場合に内容液が流れる流路には、第１ノズル１２８側のような凹所が形成されていないので、内容液が貯留されるのを抑制することができる。従って、内容液をほぼ使い切った状態で計量容器１０１を使い終えることができる。
【００６０】
なお、本実施形態では、第２ノズル１２９の先端部の高さが第１ノズル１２８よりも低く形成されているので、少量の内容液を第２ノズル１２９を通じてより正確に目的の場所に注出することができる。また、内容液の注出後に、容器本体１１０を正立姿勢に戻したときに、第２ノズル１２９の先端に付着した内容液が第２ノズル１２９の外周面に沿って垂れ落ちても、天壁１２６の上面で受けられ、第１ノズル１２８側の天壁１２６及び隔壁１２７を経由してスリット１２８ａ部分から容器本体１１０の収容空間Ｓに戻されることになる。したがって、この計量容器１０１によれば、第２ノズル１２９から内容液を注出させつつ当該内容液の外部への液垂れを防止することができる。
【００６１】
なお、本実施形態では、第２ノズル１２９と同一の周方向位置に第２注出孔１２７ｄを形成するように構成したが、この態様には限定されない。第２ノズル１２９と第２注出孔１２７ｄとの周方向位置が一部のみ重なるようにしてもよく、収容空間Ｓ内の内容液が貯留されることなく第２注出孔１２７ｄを通じて第２ノズル１２９から注出可能であればよい。
【００６２】
また、本実施形態では、第２ノズル１２９が天壁１２６で終端するように構成したが、この態様には限定されない。第２注出孔１２７ｄが適切な場所に適切な大きさで設けられることで、収容空間Ｓ内の内容液が貯留されることなく第２注出孔１２７ｄを通過して第２ノズル１２９から注出可能であれば、第２ノズル１２９は、天壁１２６を越えて下方に突出していてもよい。
【００６３】
また、本実施形態では、天壁１２６と側壁１２７ａが傾斜部１２７ｅを介して連結され、当該傾斜部１２７ｅに第２注出孔１２７ｄを形成するように構成したが、この態様には限定されない。傾斜部１２７ｅを設けずに側壁１２７ａを直接天壁１２６に連結してもよい。また、第２注出孔１２７ｄは、側壁１２７ａや天壁１２６に形成してもよい。
【００６４】
以上述べたように、本実施形態では、装着キャップ部１２１に連結される隔壁１２７と、隔壁１２７の底壁１２７ｂに形成された注出孔１２７ｃの縁部から上方に向けて樋状に突出する第１ノズル１２８と、第１ノズル１２８に対して周方向に対向して設けられ、第１ノズル１２８よりも先端部の高さが低い第２ノズル１２９とを有し、隔壁１２７における、第２ノズル１２９が形成された周方向位置には、注出孔１２７ｃとは離間して設けられ収容空間Ｓと第２ノズル１２９とを連通する第２注出孔１２７ｄが形成されるように構成した。これによって、第２ノズル１２９を使用する場合に、第２注出孔１２７ｄを経由して流すことができるので、収容空間Ｓ内の内容液の残留を抑制して計量容器１０１を使い終えることができる。また、第２注出孔１２７ｄは、注出孔１２７ｃとは離間して形成され、注出孔１２７ｃよりも開口面積を小さく構成しているので、収容空間Ｓ内の内容液の残量が少なくなった場合に、少量の内容液をこの第２注出孔１２７ｄを通じて注出し易くすることができる。また、注出孔１２７ｃを通じて内容液の詰め替えを行う際に、内容液の注入と同時に第２注出孔１２７ｄから収容空間Ｓ内の空気を排出することができるので、内容液の詰め替えをスムーズに行うことができる。
【００６５】
なお、図３に示すように、筒状壁１３２ａの下端に円環状のリップ部１３２ｃを一体に設け、計量キャップ１３０がノズルキャップ１２０に装着されたときに、リップ部１３２ｃが隔壁１２７の側壁１２７ａに当接する構成とすることもできる。これにより、計量カップ部１３２に残った内容液が筒状壁１３２ａの先端と隔壁１２７との間から筒状壁１３２ａの外側に回り込んで筒状壁１３２ａの外周面に付着することを防止することができる。
【００６６】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各構成部に含まれる機能などは論理的に矛盾しないように再配置可能であり、複数の構成部を１つに組み合わせたり、或いは分割したりすることが可能である。本発明の範囲にはこれらも包含されるものと理解されたい。
【符号の説明】
【００６７】
１    計量容器
１０    容器本体
１１    胴部
１２    底部
１３    口部
１３ａ  雄ねじ
１３ｂ  係止リブ
２０    ノズルキャップ
２１    装着キャップ部
２３    外周壁
２３ａ  雌ねじ
２３ｂ  凹溝
２５    被装着筒
２５ａ  雄ねじ
２６    天壁
２６ａ  シール壁
２７    隔壁
２７ａ  側壁
２７ｂ  底壁
２７ｃ  注出孔
２７ｄ  切り欠き
２８    第１ノズル
２８ａ  スリット
２９    第２ノズル
３０    計量キャップ
３１    キャップ本体部
３１ａ  装着筒
３１ｂ  頂壁
３１ｃ  雌ねじ
３１ｄ  側壁
３１ｅ  上壁
３１ｆ  シール壁
３２    計量カップ部
３２ａ  筒状壁
１０１    計量容器
１１０    容器本体
１１１    胴部
１１２    底部
１１３    口部
１１３ａ  雄ねじ
１１３ｂ  係止リブ
１２０    ノズルキャップ
１２１    装着キャップ部
１２３    外周壁
１２３ａ  雌ねじ
１２３ｂ  凹溝
１２５    被装着筒
１２５ａ  雄ねじ
１２６    天壁
１２６ａ  シール壁
１２７    隔壁
１２７ａ  側壁
１２７ｂ  底壁
１２７ｃ  注出孔
１２７ｄ  第２注出孔（切り欠き）
１２７ｅ  傾斜部
１２８    第１ノズル
１２８ａ  スリット
１２９    第２ノズル
１３０    計量キャップ
１３１    キャップ本体部
１３１ａ  装着筒
１３１ｂ  頂壁
１３１ｃ  雌ねじ
１３１ｄ  側壁
１３１ｅ  上壁
１３１ｆ  シール壁
１３２    計量カップ部
１３２ａ  筒状壁
Ｓ      収容空間
【図１】
2019081582.tif 000003
【図２】
2019081582.tif 000004
【図３】
2019081582.tif 000005